(57)【要約】【課題】  ペットボトル、ビン等の容器の内部をエアで容易に洗浄することができるエアによる容器の内部洗浄装置を提供すること。【解決手段】  内部洗浄装置１が、洗浄の対象となる容器４０の入口を差込可能な開口部と、この開口部に差し込まれた容器の入口から前記容器４０内にエアを吹き出すことができるノズル２０と、このノズル２０にエアを送る送風手段とを備え、前記開口部が容器４０内のエアの排気口になる。さらに、前記開口部から排気されたエアがフィルタで濾過されるとともに前記送風手段によりノズル２０に送られてノズル２０から吹き出すこと。さらに、前記エアが放電等によるイオン発生手段中を通過してノズル２０から容器４０内に吹き出すこと。【選択図】        図１
0003108957.tif 000002
【実用新案登録請求の範囲】
【請求項１】
洗浄の対象となる容器の入口を差込可能な開口部と、この開口部に差し込まれた容器の入口から前記容器内にエアを吹き出すことができるノズルと、このノズルにエアを送る送風手段とを備え、前記開口部が前記容器内のエアの排気口になることを特徴とするエアによる容器の内部洗浄装置。
【請求項２】
請求項１に記載したエアによる容器の内部洗浄装置であって、
前記開口部から排気されたエアがフィルタで濾過されるとともに前記送風手段により前記ノズルに送られて前記ノズルから吹き出すことを特徴とするエアによる容器の内部洗浄装置。
【請求項３】
請求項１に記載したエアによる容器の内部洗浄装置であって、
前記エアが放電等によるイオン発生手段中を通過して前記ノズルから容器内に吹き出すことを特徴とするエアによる容器の内部洗浄装置。
【考案の詳細な説明】
【技術分野】
【０００１】
本考案は、ボトル等の容器の内面に付着した塵埃等を除去することができる洗浄装置に関し、特にエアによる容器の内部洗浄装置に関するものである。
【背景技術】
【０００２】
ペットボトルやビン等の容器の内部に塵埃等が付着したまま、飲料等が容器に充填されると、充填された飲料等に前記塵埃等が混じることになり、重大な事故が発生する原因ともなる。このため、容器に飲料等を充填する前に容器の内部を洗浄する必要がある。この洗浄の方法として水を容器の内部に噴射して容器の内部を洗浄する洗浄装置がある（例えば、特許文献１参照）。
【特許文献１】特開２００３−１８１４０３公報
【考案の開示】
【考案が解決しようとする課題】
【０００３】
しかし、水により容器の内部を洗浄する場合には、洗浄後に容器の内部を乾燥する工程が煩雑であるという問題があった。
本考案はこのような点に鑑みてなされたものであり、その課題は、ペットボトル、ビン等の容器の内部をエアで容易に洗浄することができるエアによる容器の内部洗浄装置を提供することである。
【課題を解決するための手段】
【０００４】
上記課題を解決するため、請求項１記載の考案は、洗浄の対象となる容器の入口を差込可能な開口部と、この開口部に差し込まれた容器の入口から前記容器内にエアを吹き出すことができるノズルと、このノズルにエアを送る送風手段とを備え、前記開口部が前記容器内のエアの排気口になることを特徴とするエアによる容器の内部洗浄装置である。
これにより、開口部に容器の入口を差し込んで送風手段により送られたエアをノズルから吹き出すと、このエアが容器の内部の洗浄をし、容器の内部に付着した塵埃等を剥離させる。そして、洗浄後のエアは剥離した塵埃等とともに開口部から排気される。
【０００５】
さらに、請求項２記載の考案は、請求項１に記載した考案において、前記開口部から排気されたエアがフィルタで濾過されるとともに前記送風手段により前記ノズルに送られて前記ノズルから吹き出すことである。
これにより、前記洗浄に使用されたエアが開口部から送風手段により吸引されて排気されるとともに、この排気されたエアがフィルタにより濾過されて前記送風手段によりノズルに送られて容器の内部の洗浄に使用される。
【０００６】
さらに、請求項３記載の考案は、請求項１に記載した考案において、前記エアが放電等によるイオン発生手段中を通過して前記ノズルから容器内に吹き出すことである。
これにより、イオン発生手段中を通過したエア中にイオンが存在するので、このエアがノズルから吹き出て容器の内部を洗浄する際に前記エア中のイオンが容器の内部に生じている静電気を中和させて除去する。
【考案の効果】
【０００７】
請求項１記載の考案によれば、ペットボトル、ビン等の容器の内部をエアで容易に洗浄することができる。
さらに、請求項２記載の考案によれば、請求項１記載の考案の効果とともに、容器の内部の洗浄に用いるエアを循環させて利用することができ、洗浄により容器の内部から剥離した塵埃等をフィルタにより集めることができる。
さらに、請求項３記載の考案によれば、請求項１記載の考案の効果とともに、容器の内部の静電気を除去することができる。
【考案を実施するための最良の形態】
【０００８】
以下、本考案における実施の形態を図面に基づいて説明する。
図１は、本考案の実施の形態に係るエアによる容器の内部の洗浄装置を示し、図２は、図１の平面を一部分切り欠いて示し、図３は図１の正面を一部分切り欠いて示し、図４は図１の右側面を示す。
【０００９】
図１に示すように、洗浄装置１は、キャスター３付きの筐体２を備えている。筐体２の上面には、図２に示すように、図示左から順に電源ランプ５、完了ランプ６および電源スイッチ７が配設されている。電源スイッチ７は洗浄装置１の図示しない電源をオンオフするスイッチであり、電源オンのときに電源ランプ５が点灯する。
【００１０】
図１に示すように、筐体２の上面の前部には、一対の容器受け１０、１０ｘが配置されている。なお、容器受け１０ｘは容器受け１０と同じものであるので、容器受け１０のみについて説明する。
図４に示すように、容器受け１０には、前方および上方に傾斜した開口部１３が形成され、この開口部１３に洗浄の対象となる容器４０の入口４１を手５１（図１参照）で差込可能である。そして、この開口部１３に差し込まれた容器４０の入口４１から容器４０の内部４２にエアを吹き出すことができるノズル２０が配設されている。また、開口部１３が容器４０内のエアの排気口になる。このときのエアの吹き出し方向は矢印３１の方向であり、エアの排気の方向が矢印３２の方向である（図３参照）。
なお、図１に示すように、容器受け１０の前下部分には横軸１１が付設され、この横軸１１は、筐体２の上面に設けられた一対の軸受１２にて回動自在に支えられている。このため、容器受け１０は図４に示す矢印１４の方向に回動可能であり、これにより開口部１３の向きを前後方向に変えることができる。
【００１１】
図２に示すように、筐体２の内部には、ノズル２０にエアを送る送風手段３０が配設されている。送風手段３０は例えば前記電源で駆動されるモータにより回転するファンである。送風手段３０の送風口はダクト３５によりメインフィルタ３３を経て筒状のイオン発生手段３４のエア入口３４ａに接続され、エア入口３４ａは図３のイオン発生手段３４の下部３４ｂに連通している。イオン発生手段３４はその内部に配設された放電極３４ｃの放電によりエア中にイオンを発生させるものである。
図３に示すように、イオン発生手段３４の上端部はノズル用送風路２１によりノズル２０の基部に接続されている。
【００１２】
図４に示すように、上記開口部１３は蛇腹状ダクト３５ｃを介してダクト３５に接続され、このダクト３５は、その図３に示す部位３５ａが図２に示すダクト３５の部位３５ｂに接続され、さらに、図２に示すように、この部位３５ｂはダクト３５によりプレフィルタ３６を経て送風手段３０の吸引口に接続されている。プレフィルタ３６はエア中に含まれている塵埃等をエアから除去して集めることができる。このため、プレフィルタ３６で濾過されたエアが送風手段３０に送られる。
【００１３】
図１に示すように、容器受け１０の図示右側面にはセンサ４が取り付けられている。このセンサ４は、容器４０を握っている手５１が発する赤外線を検出して手５１がセンサ４の近傍にあることを検出するものであり、センサ４が手５１を検出している間図２の送風手段３０が動作し、送風手段３０の動作が完了すると、図２の完了ランプ６が点灯する。
【００１４】
以上の構成のエアによる容器の内部の洗浄装置１は、以下の動作をする。
開口部１３に容器４０の入口４１を差し込んで送風手段３０により送られたエアをノズル２０から吹き出すと、このエアが容器４０の内部４２の洗浄をし、容器４０の内部４２に付着した塵埃等を剥離させる。そして、洗浄後のエアは剥離した塵埃等とともに開口部１３から排気される。
また、前記洗浄に使用されたエアが開口部１３から送風手段３０により吸引されて排気されるとともに、この排気されたエアがプレフィルタ３６により濾過されて送風手段３０によりメインフィルタ３３を経てノズル２０に送られて容器４０の内部４２の洗浄に使用される。このため、開口部１３から排気されたエアがプレフィルタ３６で濾過され、エア中の塵埃等（エアによる洗浄により容器４０の内部４２から剥離したもの等）がプレフィルタ３６で集められるとともに、プレフィルタ３６で濾過されたエアが送風手段３０によりメインフィルタ３３（エアを濾過する。）を経てノズル２０に送られてノズル２０から吹き出す。
また、イオン発生手段３４中を通過したエア中にイオンが存在するので、このエアがノズル２０から吹き出て容器４０の内部４２を洗浄する際に前記エア中のイオンが容器４０の内部４２に生じている静電気を中和させて除去する。
【００１５】
なお、上記実施の形態において、容器受け１０のみ説明しているが、容器受け１０ｘも容器受け１０と同様に動作するので、例えば両手で２つの容器４０のそれぞれを握ってそれらの入口４１を容器受け１０、１０ｘに差し込んで、２つの容器４０の内部４２を洗浄することもできる。
また、メインフィルタ３３を省略して、プレフィルタ３６のみを使用するようにしてもよい。
【図面の簡単な説明】
【００１６】
【図１】本考案の実施の形態に係るエアによる容器の内部の洗浄装置を示す斜視図である。
【図２】図１の平面を一部分切り欠いて示す平面図である。
【図３】図１の正面を一部分切り欠いて示す正面図である。
【図４】図１の右側面図である。
【符号の説明】
【００１７】
１  洗浄装置
１３  開口部
２０  ノズル
３０  送風手段
３４  イオン発生手段
３６  プレフィルタ
４０  容器
４１  入口
【図１】
0003108957.tif 000003
【図２】
0003108957.tif 000004
【図３】
0003108957.tif 000005
【図４】
0003108957.tif 000006